【手続補正書】
【提出日】平成30年6月12日(2018.6.12)
【手続補正１】
【補正対象書類名】特許請求の範囲
【補正対象項目名】全文
【補正方法】変更
【補正の内容】
【特許請求の範囲】
【請求項１】
室上壁（３）と、室底壁（４）と、２つの対向する室側壁（５）と、２つの対向する室端壁（７，８）とによって形成された造型室（２，２ａ，２ｂ）を含む砂型造型機（１）であり、
少なくとも１つの室壁（３）には、砂供給システム（１０）と連通する少なくとも１つの砂充填口（９）が設けられ、
前記室端壁（７，８）の少なくとも１つには、パターン（１４，１５）を有するパターンプレート（１２，１３）が設けられ、
前記室端壁（７，８）の少なくとも一方は、前記造型室（２，２ａ，２ｂ）内に供給される砂を圧縮するために変位可能であり、
前記室壁（３，４，５，７，８）の少なくとも１つには、圧縮空気を前記造型室（２，２ａ，２ｂ）に送達するために圧縮空気源（１９）に接続された圧縮空気吸入口（１８，１８ａ，１８ｂ，４３）が設けられ、
複数の前記圧縮空気吸入口（１８，１８ａ，１８ｂ，４３）は前記造型室（２，２ａ，２ｂ）の下部に配置され、
前記複数の前記圧縮空気吸入口（１８，１８ａ，１８ｂ，４３）は、前記少なくとも１つの砂充填口（９）を通して前記造型室（２，２ａ，２ｂ）に砂が充填される充填動作の少なくとも一部の間に前記室底壁（４）の少なくとも一部に隣接して少なくとも実質的な流動砂床を形成するために、前記造型室（２，２ａ，２ｂ）の少なくとも一部において上昇空気流を生成するように配置され、
前記圧縮空気吸入口（１８，１８ａ，１８ｂ）の複数または全ては、複数の異なる群（２８，２９）に配置され、
特定の群（２８，２９）に属する前記圧縮空気吸入口（１８，１８ａ，１８ｂ）は、前記群（２８，２９）に関係し、前記群に属する前記圧縮空気吸入口（１８，１８ａ，１８ｂ）への圧縮空気の供給を調節するように構成された前記特定の流動化制御弁（２２，３０，３１）を介して圧縮空気源（１９）に接続され、
特定の群（２８，２９）に属する前記圧縮空気吸入口（１８，１８ａ，１８ｂ）は、前記室底壁（４）および／または前記室側壁（５）の対応する特定領域（３２，３３）に配置され、
それぞれの特定の群（２８，２９）に属する圧縮空気吸入口（１８，１８ａ，１８ｂ）を含む複数の前記特定領域は、第１の室端壁（７）から第２の室端壁（８）の方向に互いに続いて配置されることを特徴とする、砂型造型機（１）。
【請求項２】
複数の前記圧縮空気吸入口（１８，１８ａ，１８ｂ，４３）は、空気を上方に向けるように構成される、請求項１に記載の砂型造型機。
【請求項３】
複数の前記圧縮空気吸入口（１８，１８ａ，１８ｂ）は、前記室底壁（４）の少なくとも中央領域にわたって分布している、請求項１または請求項２に記載の砂型造型機。
【請求項４】
複数の前記圧縮空気吸入口（１８，１８ａ，１８ｂ）は、前記室底壁（４）の少なくとも前記パターンプレート（１２，１３，２６）のパターン（１４，１５，２７）の前記室底壁（４）への投影によって覆われない領域に分布している、請求項１〜請求項３のうちのいずれか一項に記載の砂型造型機。
【請求項５】
前記室端壁（７，８）の少なくとも一方は、圧縮空気が供給され、前記少なくとも一方の室端壁（７，８）の変位中に前記室底壁（４）上を摺動するように構成された複数のスライドシューを含むエアクッション輸送システムと関連付けられ、複数の前記圧縮空気吸入口（１８，１８ａ，１８ｂ）は、前記少なくとも一方の室端壁（７，８）の変位中に前記スライドシューによって接触されない前記室底壁（４）の領域にわたって分布している、請求項１〜請求項４のうちのいずれか一項に記載の砂型造型機。
【請求項６】
複数の前記圧縮空気吸入口（４３）は、前記室端壁（７，８）の少なくとも一方の下縁に沿って配置される、請求項１〜請求項５のうちのいずれか一項に記載の砂型造型機。
【請求項７】
前記室側壁（５）および／または前記室上壁（３）の少なくとも一方には、複数の異なる群（４４，４５）に配置された複数の空気抜きノズル（３４）が設けられ、特定の群（４４，４５）に属する前記空気抜きノズル（３４）は、前記群（４４，４５）に関係し、前記群に属する前記空気抜きノズル（３４）からの排気の流れを調節するように構成された特定空気抜き制御弁と連通している、請求項１〜請求項６のうちのいずれか一項に記載の砂型造型機。
【請求項８】
特定の群（４４，４５）に属する前記空気抜きノズル（３４）は、前記室側壁（５）の対応する特定領域に配置され、それぞれの特定の群（４４，４５）に属する空気抜きノズル（３４）を含む複数の前記特定領域は、垂直方向に互いに続いて配置される、請求項７に記載の砂型造型機。
【請求項９】
前記砂型造型機（１）は、前記少なくとも１つの砂充填口（９）を通して前記造型室（２，２ａ，２ｂ）に砂が充填される少なくとも充填動作中に、前記室底壁（４）の特定領域にわたって分布している複数の圧縮空気吸入口（１８，１８ａ，１８ｂ）を通して圧縮空気が前記造型室（２，２ａ，２ｂ）内に供給されるように、前記圧縮空気吸入口（１８，１８ａ，１８ｂ）のそれぞれの群（２８，２９）に関係する複数の特定流動化制御弁（２２，３０，３１）を開放するように構成された制御ユニット（２５）を含む、請求項１〜請求項８のうちのいずれか一項に記載の砂型造型機。
【請求項１０】
複数の前記圧縮空気吸入口（１８，１８ａ，１８ｂ）または前記圧縮空気吸入口（１８，１８ａ，１８ｂ）に関係する流動化ノズルは、圧縮空気を隣接するパターンプレート（１２，１３，２６）の方向に向けるために、垂直線に対して斜め方向かつ前記隣接するパターンプレート（１２，１３，２６）の方向に向けられる、請求項１〜請求項９のうちのいずれか一項に記載の砂型造型機。
【請求項１１】
前記室底壁（４）に位置する圧縮空気吸入口（１８，１８ａ，１８ｂ）または流動化ノズル、好ましくはさらに、前記室側壁（５）に位置する圧縮空気吸入口（１８，１８ａ，１８ｂ）または流動化ノズルは、環状開口の形態を有し、前記環状開口は、前記関連する室壁または前記関連する室壁と同一平面上に挿入された部分において環状溝の形態を有する、または前記環状溝は、前記関連する室壁内の穴と前記穴に挿入された別個の要素との間に形成される、請求項１〜請求項１０のうちのいずれか一項に記載の砂型造型機。
【請求項１２】
前記砂成形機（１）は、少なくとも１つの減圧弁を用いて、前記圧縮空気源（１９）から前記圧縮空気吸入口（１８，１８ａ，１８ｂ）への圧縮空気の流れを制御するように構成された制御ユニット（２５）を含む、請求項１〜請求項１１のうちのいずれか一項に記載の砂型造型機。
【請求項１３】
前記砂型造型機は、制御ユニット（２５）を含み、前記制御ユニット（２５）は、前記圧縮空気源（１９）から前記砂供給システムへ（１０）の圧縮空気の流れを制御するように構成された砂供給制御弁（２３，２３ａ，２３ｂ）を制御するように構成され、前記制御ユニット（２５）は、前記圧縮空気源（１９）から前記室壁の少なくとも一方にある少なくとも複数の前記圧縮空気吸入口（１８，１８ａ，１８ｂ）への圧縮空気の流れを制御するように構成された少なくとも１つの流動化制御弁（２２，３０，３１）を制御するように構成され、前記制御ユニット（２５）は、前記砂供給制御弁（２３，２３ａ，２３ｂ）を開放して、前記少なくとも１つの砂充填口（９）を通して前記造型室（２，２ａ，２ｂ）に砂が充填される充填動作を開始するように構成され、前記制御ユニット（２５）は、前記少なくとも１つの流動化制御弁（２２，３０，３１）を前記砂供給制御弁（２３，２３ａ，２３ｂ）の開放と同時に、少なくとも実質的に同時に、その前に、またはその後に開放するように構成される、請求項１〜請求項１２のうちのいずれか一項に記載の砂型造型機。
【請求項１４】
前記制御ユニット（２５）は、前記造型室（２，２ａ，２ｂ）に砂が充填された後、場合によっては室端壁の変位による砂の機械的圧縮中または圧縮後に、前記少なくとも１つの流動化制御弁（２２，３０，３１）を閉鎖するように構成される、請求項１３に記載の砂型造型機。
【請求項１５】
前記圧縮空気吸入口（１８，１８ａ，１８ｂ，４３）の少なくともいくつかは、空気抜きノズルの追加機能を有し、前記流動化制御弁（２２，３０，３１）の少なくともいくつかまたは全ては、追加の空気抜き機能を可能にする三方弁の形態を有し、および／または別個の空気抜き制御弁が前記圧縮空気吸入口（１８，１８ａ、１８ｂ、４３）に接続される、請求項１〜請求項１４のうちのいずれか一項に記載の砂型造型機。
【請求項１６】
充填動作時に砂供給システム（１０）によって造型室（２，２ａ，２ｂ）に砂が充填され、その後、前記砂が圧縮される鋳型製造方法であり、前記造型室（２，２ａ，２ｂ）は、室上壁（３）と、室底壁（４）と、２つの対向する室側壁（５）と、２つの対向する室端壁（７，８）とによって形成され、前記造型室（２，２ａ，２ｂ）には、少なくとも１つの室壁に設けられ、前記砂供給システム（１０）と連通する少なくとも１つの砂充填口（９）を通して砂が充填され、鋳型または鋳型部品には、パターン（１４，１５，２７）を有するパターンプレート（１２，１３，２６）が設けられている前記室端壁（７，８）の少なくとも１つによってパターンが形成され、砂は、前記室端壁（７，８）の少なくとも一方を変位させることによって前記造型室（２，２ａ，２ｂ）内部で圧縮される、鋳型製造方法であって、前記少なくとも１つの砂充填口（９）を通して前記造型室（２，２ａ，２ｂ）に砂が充填される充填動作の少なくとも一部の間に、前記室底壁（４）の一部に少なくとも隣接して少なくとも実質的な流動砂床が形成されること、前記流動砂床は、前記造型室（２，２ａ，２ｂ）の少なくとも一部において上昇空気流が生成されるように圧縮空気を前記造型室（２，２ａ，２ｂ）へ噴射することによって形成されること、および前記圧縮空気は、前記造型室（２，２ａ，２ｂ）の下部に設けられている複数の圧縮空気吸入口（１８，１８ａ，１８ｂ，４３）を通して噴射されることを特徴とする、鋳型製造方法。